【事件の表示】
　平成　９年特許願第２８５９５２号「歩数計を利用した知覚的携帯玩具」拒絶査定不服審判事件〔平成１１年　３月２３日出願公開、特開平１１−　７６６１２〕について、次のとおり審決する。
【結　論】
　本件審判の請求は、成り立たない。
【理　由】
１．手続の経緯・本願発明
　本件出願は、平成９年９月９日の出願であって、その請求項１に係る発明（以下、「本願発明」という。）は、平成１４年１１月１日付けの手続補正書により補正された明細書および図面の記載からみて、その特許請求の範囲の請求項１に記載された次の事項により特定されるとおりのものと認める。
　
　「携帯時の歩行によりＯＮ／ＯＦＦのスイッチング動作をさせ、このスイッチング回数を情報とし、この情報を文字情報に変化させ、又このスイッチングされた歩行回数と歩幅により運動距離を算出し、Ａ地点を基点として予め設定されている名所・旧跡等の土地をＢ地点とし、このＢ地点での句碑や由来あるいは特産物等を文字にして表示部へ表すことを特徴とした歩数計を利用した知覚的携帯玩具。」
　　
２．引用例
　これに対して、原査定の拒絶の理由に引用され本件出願前に日本国内において頒布された刊行物である特開平７−８０１１５号公報（以下「引用例」という。）には、図面とともに、
　「人体に装着して歩いた歩数を計数する歩数計に付設するものであって、歩数計で計数した歩数を記憶する歩数記憶手段と、歩幅を設定する歩幅設定手段と、歩数記憶手段に記憶された歩数と歩幅設定手段に設定された歩幅とから歩行距離に換算する距離演算手段と、少なくとも地図情報を格納した記憶手段と、画面にて表示するディスプレイ手段と、記憶手段から地図情報を読み出してディスプレイ手段に表示させその地図情報上に歩行距離を対応させて模擬的に表示させる制御手段とを備えた・・・運動量表示システム。」（特許請求の範囲、【請求項１】）、
　「前記制御手段に、ディスプレイ手段に表示された地図情報上に歩行距離を対応させて模擬的に表示させるときに表示を開始する位置を指定する表示位置指定手段を付加した・・・運動量表示システム。」（特許請求の範囲、【請求項２】）、
　「前記表示位置指定手段は、ディスプレイ手段に表示の終了位置を指定してコースを設定する・・・運動量表示システム。」（特許請求の範囲、【請求項３】）、
　「【産業上の利用分野】
　本発明は、人体に装着して歩いた歩数を計数する歩数計に付設され、歩数に対応した距離の表示を行う運動量表示システムに関するものである。」（段落【０００１】）、
　「【従来の技術】
　従来より、人体に装着して歩行した歩数を計数して表示する歩数計や、歩数表示の他に歩数から換算した歩行距離・・・を表示する歩数計が提供されている。」（段落【０００２】）、
　「・・・従来の歩数計は、歩いた歩数、歩行距離・・・を数値データを表示するものであったので、使用者に歩行距離・・・がどの程度のものであったのか感覚的に知らせることができなかった。」（段落【０００３】）、
　「・・・、歩いた歩数を視覚的な表現に処理してディスプレイ手段に表示する。」（段落【００１３】）、
　「・・・、指定された位置から歩数を視覚的な表現で表示する。」（段落【００１４】）、
　「・・・、表示の開始位置と終了位置とからコースを任意に設定するので、コースの多様化が図れる。」（段落【００１５】）、
　「・・・運動量表示システムは、歩数計で計数された歩数が記憶された歩数メモリ装置1 と、方向指示装置2 と、歩幅設定装置3 と、コース入力装置4 と、ディスプレイ装置5 と、記憶装置6 と、これらを接続する制御装置7 と、これらを操作する操作パネル8 とを備えている。」（段落【００２２】）、
　「 操作パネル8 は、一面にカーソルキー81と、０〜９の数字キーからなるテンキー82と、入力キー83と、開始キー84と、終了キー85と、ポーズキー86と、歩幅設定キー87とを備えている。」（段落【００２３】）、
　「歩幅設定装置3 は、歩幅設定キー87によって歩幅を入力するものである。例えば、歩幅を７０cmに設定する場合、テンキー82によって「７０」を入力し、その後に歩幅設定キー87を押すと、歩幅として７０cmと決定される。」（段落【００２５】）、
　「コース入力装置4 は、・・・「カロリー量に対応したコース」を選択した場合に駆動するものであり、３つの機能を有し・・・、第３の機能は、ディスプレイ装置5 に表示された地図上で歩行距離に対応した表示を行う際に、表示を開始する位置と終了する位置とを指定してコースを任意に設定し、設定したコースについて消費カロリー量を演算してその演算結果をディスプレイ装置5 に表示することである。」（段落【００２６】）、
　「ディスプレイ装置5 は、・・・、地図情報及びその他の関連情報の・・・文字等を画面にて表示するものである。そして、ディスプレイ装置5 に表示される画像には、・・・距離演算部72から出力される歩行距離に基づいて、歩行距離を表現する手段が施される。例えば、表示される画像が地図とすると、地図上を例えば１０cm／秒の割合で位置を模擬した点等により表示を行う。」（段落【００２７】）、
　「記憶装置6 は、記憶媒体61と、記憶媒体61の情報を読み出すドライブ装置62とからなる。記憶媒体61としては、・・・ＣＤ−ＲＯＭ等が用いられ、地図情報及びその他の関連情報が格納されている。地図情報は、現実の道路地図等であり、各地図毎に地図番号が付与され、各地図には道路上の座標値データが格納されている。その他の関連情報は、地図上の特定場所、例えば、名所旧跡等の場所に対応して格納された情報であり、案内説明の文字データ・・・等が格納されている。さらに記憶装置6 には、歩行距離を消費カロリー量に対応づけた複数種類のコース（・・・）が格納されている。」（段落【００２８】）、
　「制御装置7 は、入力インタフェース71と、距離演算部72と、演算処理部73と、表示制御部74とを備えている。」（段落【００２９】）、
　「距離演算部72は、歩幅設定装置3 の歩幅のデータと、入力インタフェース71の歩数のデータとが入力されることにより歩行距離を演算するものである。」（段落【００３１】）、
　「演算処理部73は、各種の処理を行うものであり、例えば、ドライブ装置62を介して記憶媒体61から初期の地図情報として読み出し、表示制御部74を介してディスプレイ装置5 への表示を行うことができる。また、演算処理部73は、メモリ75を備えており、各種データが蓄積される。」（段落【００３２】）、
　「表示制御部74は、演算処理部73で処理したものをディスプレイ装置5 に出力するものである。」（段落【００３３】）、
　「・・・基本的な動作については、図３に示すように、歩数メモリ装置1 を制御装置7 に接続し・・・ 、ディスプレイ装置5 に表示する地図の選択処理を行い ・・・、地図上に歩行距離を模擬的に表示する表示処理を行う・・・というものである。」（段落【００３４】）、
　「選択処理・・・ では、順次表示される選択画面の選択肢の番号をテンキー82を用いて選択し、ディスプレイ装置5 に表示する地図を選択する。・・・。まず、ディスプレイ装置5 には、図６に示すように、初期画面P1が表示される (ステップS11)。初期画面P1は、コースの設定と選択とを行う画面であり、「任意コース設定」と「カロリー量に対応したコース選択」とが選択肢として与えている。」（段落【００３５】）、
　「「任意コース設定」を選択した場合 (ステップS12,S13)、任意コース選択モードとして動作する。・・・、地域名を選択肢とする地域名選択画面P2が表示され (ステップS15)、所望の地域を選択すると (ステップS16)、都道府県名を選択肢とする都道府県選択画面P3が表示される (ステップS17)。所望の都道府県を選択すると (ステップS18)、選択された都道府県の地図を区分表示する区分表示選択画面P4になる (ステップS19)。区分表示選択画面P4において複数の区分に分割された場所の何れかを選択すると (ステップS20)、道路や線路等を表示した地図表示画面P5になる (ステップS21)。道路や線路等を表示した後、スタート位置が点等により表示される。ここで、開始キー84を押すと (ステップS22)、表示処理 (ステップS2) に移行する。開始キー84を押す前にカーソルキー81を操作すると (ステップS23)、スタート位置の位置表示が移動して (ステップS24)、スタート位置を変更することができる。」（段落【００３６】）、
　「次に、初期画面P1において「カロリー量に対応したコース選択」を選択した場合・・・。退避画面がなければ (ステップS28)、コース選択画面P6が表示される (ステップS29)。コース選択画面P6は、図６に示すように、消費カロリー量の目標値を示す画面であり、・・・７段階の選択肢を有している。コース入力装置4 にテンキー82を用いて選択肢の１つを入力すると (ステップS30)、それに対応したコースを含む地図と地図上での既定のコースが表示されるとともに、スタート位置が点等により表示される (ステップS31)。ここで、開始キー84を押すと (ステップS32)、表示処理 (ステップS2) に移行する。・・・。」（段落【００３８】）、
　「・・・選択処理 (ステップS1) を行った後に開始キー84を押すと、選択処理 (ステップS1) が終了して、歩行距離に対応した距離をディスプレイ装置5 に模擬的に表示される表示処理 (ステップS2) に移行する。・・・。」（段落【００４０】）、
　「歩数メモリ装置1 に記憶された歩数のデータが・・・距離演算部72に入力され (ステップS38)、歩幅設定装置3 に設定された歩幅のデータが距離演算部72に入力され (ステップS39)、距離演算部72で歩行距離を演算する (ステップS40)。」（段落【００４１】）、
　「演算処理部73は、距離演算部72での歩行距離の演算結果に基づいて、初期位置からの距離に対応する位置の座標値を演算する。対応する座標値がディスプレイ装置5 に表示されている地図の範囲内に存在するときは、その地図上に点等により位置を示し、また、対応する座標値がディスプレイ装置5 に表示されている地図の範囲外であるときは、座標値を含む地図情報を記憶装置6 から読み出してディスプレイ装置5 に表示されている地図を更新する (ステップS41)。」（段落【００４２】）、
　「・・・、スタート位置を設定したが、ゴール位置を設定してもよい。選択した地図上にゴールを設定する場合、例えば、カーソルキー81を用いて道路上をなぞり、なぞり始めた点をスタート位置とし、なぞり終えた点をゴール位置となるようにしてもよい。さらに、スタート位置とゴール位置とを設定した後、これらの間における消費カロリー量を演算してディスプレイ装置5 に表示するようにしてもよい。」（段落【００４７】）、
　「・・・、図６に示すように、ディスプレイ装置5 に表示される各画面P1乃至P3の選択肢を１乃至３としたが、これに限られるものではなく、例えば、選択肢が多い場合、画面ページ送りできるようにしてもよい。」（段落【００４８】）、
　「・・・、地図情報が道路を含んだものとしたが、これに限られるものではなく、例えば地図情報は、建物の中の案内図、海図、架空の地図であってもよい。」（段落【００４９】）、
　「・・・運動量表示システムは、歩いた歩数を視覚的な表現に処理してディスプレイ手段に表示するので、その結果、使用者に歩行による運動意欲を向上させることができる。」（段落【００５０】）、
　「・・・運動量表示システムは、・・・、指定された位置から歩数を視覚的な表現で表示するので、その結果、表示方法の多様化を図ることができる。」（段落【００５１】）、
　「・・・運動量表示システムは、・・・、表示の開始位置と終了位置とからコースを任意に設定するので、コースの多様化を図ることができる。」（段落【００５２】）
　との記載が認められ、
　また、上記摘記事項より、人体に装着して歩いた歩数を計数することは、歩くことにより機械的又は電気的なオンオフ動作を行い計数するための信号が発生しているものであり、「人体に装着して歩くことにより計数信号発生の動作をさせ」ると認められ、
　また、上記摘記事項より、人体に装着して歩いた歩数を計数する歩数計に付設され、歩数に対応した距離の表示を行うこと、歩数計で計数された歩数が記憶された歩数メモリ装置を備えていること等から、計数信号の発生回数を歩数として計数するために「計数信号発生回数を計数情報とし」ていると認められ、
　また、上記摘記事項より、ディスプレイ装置は、地図情報及びその他の関連情報の文字等を画面にて表示するものであること、そして、ＣＤ−ＲＯＭ等が用いられ、地図情報及びその他の関連情報が格納され、その他の関連情報は、地図上の特定場所、例えば、名所旧跡等の場所に対応して格納された情報であり、案内説明の文字データ等が格納されていること等から、「計数情報を文字データの情報に変化させ」ると認められ、
　また、上記摘記事項より、制御装置が、入力インタフェースと、距離演算部と、演算処理部と、表示制御部とを備えており、距離演算部が、歩幅設定装置の歩幅のデータと、入力インタフェースの歩数のデータとが入力されることにより歩行距離を演算することは、「計数信号発生された歩数のデータと歩幅のデータにより歩行距離を演算し」ていると認められ、
　また、上記摘記事項および図６等より、ＣＤ−ＲＯＭ等に、地図情報及びその他の関連情報が格納されて、地図情報は、現実の道路地図等であり、各地図毎に地図番号が付与され、各地図には道路上の座標値データが格納されており、その他の関連情報は、地図上の特定場所、例えば、名所旧跡等の場所に対応して格納された情報であり、案内説明の文字データ等が格納されていること、カーソルキーを用いて道路上をなぞり、なぞり始めた点をスタート位置とし、なぞり終えた点をゴール位置となるようにしてもよいこと等から、「なぞり始めた点をスタート位置としてなぞり終えた点となる名所旧跡等の地図上の特定場所をゴール位置とす」ることができるものと認められ、　また、上記摘記事項および図３・６等より、ディスプレイ装置が、地図情報及びその他の関連情報の文字等を画面にて表示するものであり、そして、ディスプレイ装置に表示される画像には、距離演算部から出力される歩行距離に基づいて、歩行距離を表現する手段が施され、例えば、表示される画像が地図とすると、地図上を例えば１０cm／秒の割合で位置を模擬した点等により表示を行うこと、その他の関連情報は、地図上の特定場所、例えば、名所旧跡等の場所に対応して格納された情報であり、案内説明の文字データ等が格納されていること、演算処理部が、各種の処理を行うものであり、例えば、ドライブ装置を介して記憶媒体から初期の地図情報として読み出し、表示制御部を介してディスプレイ装置への表示を行うことができること、歩数メモリ装置を制御装置に接続し、ディスプレイ装置に表示する地図の選択処理を行い 、地図上に歩行距離を模擬的に表示する表示処理を行うこと、なぞり終えた点をゴール位置となるようにしてもよいこと、運動量表示システムが、指定された位置から歩数を視覚的な表現で表示するので、その結果、表示方法の多様化を図ることができ、表示の開始位置と終了位置とからコースを任意に設定するので、コースの多様化を図ることができること等から、「ゴール位置に対応した案内説明等の関連情報を文字にしてディスプレイ装置５へ表示する」ことができるものと認められ、
　また、上記摘記事項より、人体に装着して歩いた歩数を計数する歩数計に付設され、歩数に対応した距離の表示を行う運動量表示システムに関するものであること、運動量表示システムは、歩数計で計数された歩数が記憶された歩数メモリ装置と、方向指示装置と、歩幅設定装置と、コース入力装置と、ディスプレイ装置と、記憶装置と、これらを接続する制御装置と、これらを操作する操作パネルとを備えていること等から、「歩数計に付設される運動量表示システムを備えた人体装着具」であると認められる。これらの記載によれば、引用例には、
　
　「人体に装着して歩くことにより計数信号発生の動作をさせ 、この計数信号発生回数を計数情報とし、この計数情報を文字データの情報に変化させ、又この計数信号発生された歩数のデータと歩幅のデータにより歩行距離を演算し、なぞり始めた点をスタート位置としてなぞり終えた点となる名所旧跡等の地図上の特定場所をゴール位置とし、このゴール位置に対応した案内説明等の関連情報を文字にしてディスプレイ装置５へ表示するようにした歩数計に付設される運動量表示システムを備えた人体装着具。」
　
　との発明（以下「引用例発明」という。）が開示されていると認めることができる。
　
３．対比
　そこで、本願発明と引用例発明とを対比すると、引用例発明の「人体に装着して歩くことにより」、「計数情報」、「文字データの情報」、「歩数のデータと歩幅のデータにより歩行距離を演算し」、「なぞり始めた点をスタート位置」、「なぞり終えた点となる名所旧跡等の地図上の特定場所をゴール位置」、「ゴール位置に対応した」、「ディスプレイ装置５へ表示する」および「歩数計に付設される」は、本願発明における「携帯時の歩行により」、「情報」、「文字情報」、「歩行回数と歩幅により運動距離を算出し」、「Ａ地点を基点」、「予め設定されている名所・旧跡等の土地をＢ地点」、「Ｂ地点での」、「表示部へ表す」および「歩数計を利用した」に相当すると認められる。また、引用例発明の「計数信号発生の動作」、「案内説明等の関連情報」、「運動量表示システムを備えた人体装着具」と、本願発明の「ＯＮ／ＯＦＦのスイッチング動作」、「句碑や由来あるいは特産物等」、「知覚的携帯玩具」は、「信号出力動作」、「文化的情報」、「歩行用携帯品」でそれぞれ共通する。したがって、両者は、
　
　「携帯時の歩行により信号出力動作をさせ、この信号出力回数を情報とし、この情報を文字情報に変化させ、又この信号出力された歩行回数と歩幅により運動距離を算出し、Ａ地点を基点として予め設定されている名所・旧跡等の土地をＢ地点とし、このＢ地点での文化的情報を文字にして表示部へ表すようにした歩数計を利用した歩行用携帯品。」
　
である点で一致し、以下の点で相違している。
　
　相違点１：信号出力動作をさせることにおいて、本願発明では、「ＯＮ／ＯＦＦのスイッチング動作」であるのに対し、引用例発明では、「計数信号発生の動作」をさせているが、信号発生のための具体的手段が明らかでなく、本願発明のような構成になっていない点。
　
  相違点２：文字にして表示部へ表す文化的情報が、本願発明では、「句碑や由来あるいは特産物等」であるのに対し、引用例発明では、「案内説明等の関連情報」である点。
　
　相違点３：歩行用携帯品において、本願発明では、「知覚的携帯玩具」であるのに対し、引用例発明では、「運動量表示システムを備えた人体装着具」である点。
　
４．判断
　上記相違点について検討する。
　  相違点１について、一般的に、万歩計で可動的な慣性質量を有する振り子部の振動により接点部の接点がオンオフしてパルスを発生するセンサが周知であり（例えば、実願昭６２−２７５２１号（実開昭６３−１３５４７３号、）のマイクロフィルム（第４頁第５行〜９行等）、特開平５−５６２８号公報（段落【０００２】等）参照。）、引用例発明の計数信号発生の動作に前記周知技術を適用して、本願発明のように構成することは、その適用に当たり、特に困難性も認められず、当業者が容易にできる設計事項である。
　
　相違点２について、引用例発明の案内説明等の関連情報は、どのような内容の案内説明なのか、また、関連情報とはどの程度の歴史的社会的な関連事項なのか、文化的情報として案内説明以外に具体的な関連情報を明らかにしていない。しかし、引用例には、地図情報及びその他の関連情報において、その他の関連情報が、地図上の特定場所、例えば、名所旧跡等の場所に対応した情報であり、案内説明の文字データであることが記載されており、そこから、名所旧跡等の場所を想定すると、名所旧跡等の場所に対応した情報として文字で案内説明するには、地名の由来、歴史上の出来事、民話や文学、焼き物などの紹介が例をあげるまでもなく周知である。してみると、引用例発明の案内説明等の関連情報を具体化するのに、上記周知の事項を適用して、本願発明のように、文化的情報を句碑や由来あるいは特産物等とすることは、当業者が格別の創意工夫を要することなく必要に応じて容易に想到し得たものである。
　
　相違点３について、歩行用携帯品として、本願発明と引用例発明は、ともに歩行により発生する信号から歩行距離を計算し、その距離に関連した情報を画像表示部に表示する技術であり、当該技術と本願発明である知覚的携帯玩具に特有の構成との関係は記載されていない。してみると、引用例発明に記載されている当該技術を「知覚的携帯玩具」に適用することは、当業者が必要に応じて適宜なし得る程度の事項である。　
　
　そして、本願発明が上記構成を採ることによりもたらされる効果は、引用例発明および引用例に記載された技術事項および周知技術から当業者が予測できる範囲内のものであって格別のものとは認められない。
　
５．むすび
　以上のとおりであるから、本願発明は、引用例発明および引用例に記載された技術事項および周知技術に基づいて、当業者が容易に発明できたものと認められるから、特許法第２９条第２項の規定により特許を受けることができない。
　よって、結論のとおり審決する。